(57)【要約】【課題】  パチンコ店のマイナスのイメージを改善する情報提供装置、情報提供方法、情報提供システム、および情報提供プログラムを提供することを目的とする。【解決手段】  時刻情報取得部１４０が、現在時刻情報を取得し、地域広告情報取得部１２０が、アミューズメント施設の近隣地域にある商店を広告主とした広告情報である地域広告情報を取得し、表示情報生成部１５０が、時刻情報取得部１４０が取得した現在時刻情報と、地域広告情報取得部１２０が取得した地域広告情報とを同時に情報表示装置２００で表示するための表示情報を生成する。【選択図】図１
2020137701.tif 000002
【特許請求の範囲】
【請求項１】
アミューズメント施設に設置された情報表示手段を介して、前記アミューズメント施設を利用する利用者に対して情報を提供する情報提供装置において、
現在時刻情報を取得する時刻情報取得手段と、
前記アミューズメント施設の近隣地域にある商店を広告主とした広告情報である地域広告情報を表示するための情報を取得する地域広告情報取得手段と、
前記時刻情報取得手段が取得した現在時刻情報と、前記地域広告情報取得手段が取得した前記地域広告情報とを同時に前記情報表示手段で表示するための表示情報を生成する表示情報生成手段と、
を備えることを特徴とする情報提供装置。
【請求項２】
前記地域広告情報は、
前記利用者が所持する携帯端末機器に地域広告情報を表示できるように誘導する誘導情報が表示される誘導情報部、
を備えることを特徴とする請求項１記載の情報提供装置。
【請求項３】
前記誘導情報は、
前記広告主が提供するウェブサイトのアドレス情報であること、
を特徴とする請求項２記載の情報提供装置。
【請求項４】
前記アドレス情報は、
二次元コードであること、
を特徴とする請求項３記載の情報提供装置。
【請求項５】
前記誘導情報は、
前記利用者が前記広告主の商店を利用した際に受けられる割引情報であること、
を特徴とする請求項２記載の情報提供装置。
【請求項６】
前記地域広告情報は、一の広告主に対して複数の広告情報で構成され、
前記表示情報生成手段は、
あらかじめ設定された所定の時間で前記複数の広告情報を切替えて表示すること、
を特徴とする請求項１記載の情報提供装置。
【請求項７】
前記アミューズメント施設を広告主とした広告情報であるアミューズメント施設広告情報を表示するための情報を取得するアミューズメント施設広告情報取得手段を備え、
前記表示情報取得手段は、
前記時刻情報取得手段が取得した現在時刻と、前記地域広告情報取得手段が取得した前記地域広告情報、または前記アミューズメント施設広告情報取得手段が取得した前記アミューズメント施設広告情報のうち少なくとも一方とを同時に前記情報表示手段で表示するための表示情報を生成すること、
を特徴とする請求項１記載の情報提供装置。
【請求項８】
前記地域広告情報は、
動画広告情報であること、
を特徴とする請求項１記載の情報提供装置。
【請求項９】
前記情報表示手段は、
前記情報表示手段で表示される情報を強調するための装飾手段、
を備えることを特徴とする請求項１記載の情報提供装置。
【請求項１０】
前記地域広告情報は、
広告主に無償で提供される広告であること、
を特徴とする請求項１記載の情報提供装置。
【請求項１１】
前記表示情報生成手段は、
前記時刻情報取得手段が取得した現在時刻情報を非表示にする時刻非表示手段、
を備えることを特徴とする請求項１記載の情報提供装置。
【請求項１２】
前記地域広告情報取得手段は、
前記地域広告情報を生成するための地域広告情報生成手段、
を備えることを特徴とする請求項１記載の情報提供装置。
【請求項１３】
アミューズメント施設に設置された情報表示手段を介して、前記アミューズメント施設を利用する利用者に対して情報を提供する情報提供方法において、
時刻情報取得手段が、現在時刻情報を取得するステップと、
地域広告情報取得手段が、前記アミューズメント施設の近隣地域にある商店を広告主とした広告情報である地域広告情報を表示するための情報を取得するステップと、
表示情報生成手段が、前記時刻情報取得手段が取得した現在時刻情報と、前記地域広告情報取得手段が取得した前記地域広告情報とを同時に前記情報表示手段で表示するための表示情報を生成するステップと、
を備えることを特徴とする情報提供方法。
【請求項１４】
アミューズメント施設に設置された情報表示手段を介して、前記アミューズメント施設を利用する利用者に対して情報を提供する情報提供プログラムにおいて、
コンピューターを、
現在時刻情報を取得する時刻情報取得手段、
前記アミューズメント施設の近隣地域にある商店を広告主とした広告情報である地域広告情報を表示するための情報を取得する地域広告情報取得手段、
前記時刻情報取得手段が取得した現在時刻情報と、前記地域広告情報取得手段が取得した前記地域広告情報とを同時に前記情報表示手段で表示するための表示情報を生成する表示情報生成手段、
として機能させることを特徴とする情報提供プログラム。
【請求項１５】
アミューズメント施設を利用する利用者に対して情報を提供する情報提供システムにおいて、
現在時刻情報を取得する時刻情報取得手段と、
前記アミューズメント施設の近隣地域にある商店を広告主とした広告情報である地域広告情報を表示するための情報を取得する地域広告情報取得手段と、
前記時刻情報取得手段が取得した現在時刻情報と、前記地域広告情報取得手段が取得した前記地域広告情報とを同時に前記情報表示手段で表示するための表示情報を生成する表示情報生成手段と、
を備える情報提供装置と、
前記表示情報生成手段が生成した表示情報を表示するための情報表示手段と、
を備えることを特徴とする情報提供システム。
【発明の詳細な説明】
【技術分野】
【０００１】
本発明は、情報提供装置、情報提供方法、情報提供システム、および情報提供プログラムに関し、特にアミューズメント施設に設置された情報表示装置を介して、前記アミューズメント施設を利用する利用者に対して情報を提供する情報提供装置、情報提供方法、情報提供システム、および情報提供プログラムに関する。
【背景技術】
【０００２】
従来から、パチンコ遊技機、回胴式遊技機、アレンジボール遊技機、雀球遊技機などの遊技機器を店舗内に設置し、これらの遊技機でお客である遊技者に遊技をさせる営業形態をとるパチンコ店が全国各地で展開されている。
【０００３】
パチンコ店に設置される各種遊技機には、例えばパチンコ遊技機などでは遊技盤に設けられた始動口に遊技球が入球することで、また回胴式遊技機などでは遊技機に設けられたレバーを叩くことで抽選が実行され、その実行された抽選により「大当たり」、「小当たり」、「ハズレ」などが割り振られ、抽選結果が当選役に割り振られた場合においては、当選役に対応した賞球などの特典が遊技者に与えられる。
【０００４】
近年のパチンコ店においては、遊技機毎に遊技機の履歴情報を表示する情報表示装置を設置し、その情報表示装置に遊技機毎の抽選回数や、その抽選によって割り振られた「大当たり」などの当選回数などを表示することにより、遊技者が遊技機を選択する際に参考となる情報を表示する技術が一般に利用されている（例えば、特許文献１参照）。
【０００５】
例えば特許文献１で開示された発明では、パチンコ遊技機、回胴式遊技機などの遊技機に設けられ、「大当たり回数」、「抽選回数」などの遊技データを表示可能な第１表示部と、その遊技機が「確変状態」などの遊技者にとって有利な状態の回数などの有利データを表示可能な第２表示部とを備える情報表示装置において、移動処理手段が、遊技機が有利な状態であることを示す信号を情報表示装置が受信することで、第２表示部を所定位置に移動させることで、遊技者に「確変状態」などの有利な状態であることを遊技者に強調して表示することができる。
【０００６】
このように遊技者は各遊技機に設置される情報表示装置に表示される様々な情報を取得することで、遊技者は遊技者にとって有利な遊技機を選ぶ際に必要な情報を得ることができる。
【先行技術文献】
【特許文献】
【０００７】
【特許文献１】特開２０１６−８７０７４号公報
【発明の概要】
【発明が解決しようとする課題】
【０００８】
上記のような情報処理装置では、遊技機に関する履歴情報を表示することはできるが、遊技機とは関係ない情報を表示することはなかった。これは遊技者が取得したい情報は、遊技者にとって有利な遊技機を選択するための情報であり、それ以外の情報は求められていないからである。ところが遊技者にとって有利な遊技機を選択するための情報意外にも遊技者にとって必要な情報はある。例えば時刻情報である。
【０００９】
パチンコ店で遊技する遊技者たちは、「遊びに行く」や「暇つぶし」などの感覚で遊技する人が多く、ちょっとした余暇などを利用して気軽に遊技できるように遊技機は設定されている。
【００１０】
ところが、遊技中に「大当たり」などが複数回連続して抽選されると、遊技時間が長くなる恐れがある。例えば待ち合わせまでに空いた時間を利用してパチンコ店で遊技した場合、「大当たり」が複数回連続して抽選されたり、「大当たり」が複数回連続して抽選されることを期待して遊技を続けたりすると、待ち合わせ時間に遅刻してしまうことが考えられる。この遅刻を回避するためには、時刻情報を知ることは非常に大切である。
【００１１】
ところが一般にパチンコ店では、遊技機が設置されるホール内に時刻情報を表示するための時計などが設置されることが少ない。これはパチンコ店が遊技者に時間を忘れて楽しんでもらうためや、遊技者が時間を気にせずに楽しんでもらい遊技時間を長くすることで収益を上げるためである。
【００１２】
また時計を設置しない理由としてトラブル防止が挙げられる。具体的な例を挙げれば、パチンコ店の営業時間を終える際に発生する遊技止めである。遊技者が閉店時間間際まで遊技をしていると、閉店時刻近くで「大当たり」が抽選される場合もある。
【００１３】
パチンコ店のホール内に複数の時計が設置されていたとして、複数の時計を１秒の誤差もなく正確に同じ時を表示させることは困難である。各時計の表示時間が異なっていた場合、たとえ数秒ずれていたとしても、どの時計を基準に遊技止めを実施するかが問題となりトラブルの要因となる。
【００１４】
例えば、遊技者が「大当たり」が抽選されたとき、店内の時計Ａでは閉店時刻の１秒後を示しており、時計Ｂでは閉店５秒前の時刻を表示していた場合、時計Ａを基準とした場合は遊技者の「大当たり」は閉店後として無効とされる場合があり、時計Ｂを基準とした場合は、営業時間内で抽選された「大当たり」として有効とされ、遊技者にとっては、どちらの時計を基準とするかで大きな差が生じ、トラブルの要因となる恐れがある。
このような理由から、一般にパチンコ店では、遊技機が設置されるホール内に時刻情報を表示するための時計などが設置されることが少ない。
【００１５】
このように時計などの時刻情報が少ないパチンコ店では、時刻を正確に把握するための時計の設置が少ないため、遊技者が時間を気にせずに遊技できる一方で、所定の時刻に間に合わない、長時間遊技してしまうことでパチンコ依存症を疑われるなど、パチンコに対するマイナスのイメージを抱かせる要因となっていた。
【００１６】
ところで、この遊技者が遊技機で余暇を楽しむパチンコは、遊技者にとっては楽しい一時ではあるが、パチンコを遊技しない非遊技者にとっては、パチンコはマイナスのイメージをもたれることが多い。
【００１７】
最も多いのは、やはりギャンブルであるという側面からマイナスのイメージを抱くことが多く、他にも店内がうるさい、たばこの煙や臭いなど店内環境に対するイメージ、「大当たり」に抽選されない際にパチンコ遊技機を叩くなどの素行が悪い遊技者のイメージ、遠隔操作などの不正行為によるイメージ、また近年では遊技中の親御さんが駐車場の車内に幼児を放置してしまうことにより熱中症で亡くなる事件などのイメージなどが挙げられ、このようなイメージが、パチンコを遊技しない非遊技者がもつイメージの大半を占めていると考えられる。
【００１８】
このように非遊技者は、実際に店舗に行かないのでマイナスのイメージが先行する傾向があるが、最近のパチンコ店舗では、たばこの煙や臭い対策、防犯対策、駐車場などの見回り対策など多くの対策がなされており、非遊技者のイメージとは異なり明るく健全なアミューズメント施設となってきている。
【００１９】
ところが、上記のような対策がなされているのにもかかわらず、パチンコ遊技者人口の低迷が目立っている。
図１９は、全日本遊技事業協同組合連合会の平成２９年における組合加盟店舗の実態調査の結果を示す図である。
図１９に示すように、全日本遊技事業協同組合連合会の平成２９年における組合加盟店舗の実態調査では、年間で１２３店舗の新規店が増えているものの、４５２店舗が廃業している。これは近年の景気の悪化によるものだけではなく、上記のパチンコに対するマイナスのイメージによるパチンコ遊技者人口の鈍化も大きく影響していると考えられる。
このようにパチンコ店では、このようなマイナスのイメージの先入観から、パチンコ遊技者人口の低迷が問題となっている。
【００２０】
本発明はこのような点に鑑みてなされたものであり、パチンコ店のマイナスのイメージを改善する情報提供装置、情報提供方法、情報提供システム、および情報提供プログラムを提供することを目的とする。
【課題を解決するための手段】
【００２１】
本発明では上記問題を解決するために、アミューズメント施設に設置された情報表示手段を介して、前記アミューズメント施設を利用する利用者に対して情報を提供する情報提供装置において、現在時刻情報を取得する時刻情報取得手段と、前記アミューズメント施設の近隣地域にある商店を広告主とした広告情報である地域広告情報を表示するための情報を取得する地域広告情報取得手段と、前記時刻情報取得手段が取得した現在時刻情報と、前記地域広告情報取得手段が取得した前記地域広告情報とを同時に前記情報表示手段で表示するための表示情報を生成する表示情報生成手段とを備えることを特徴とする情報提供装置が提供される。
【００２２】
これにより、時刻情報取得手段が、現在時刻情報を取得し、地域広告情報取得手段が、アミューズメント施設の近隣地域にある商店を広告主とした広告情報である地域広告情報を表示するための情報を取得し、表示情報生成手段が、時刻情報取得手段が取得した現在時刻情報と、地域広告情報取得手段が取得した地域広告情報とを同時に情報表示手段で表示するための表示情報を生成する。
【００２３】
また、本発明では、アミューズメント施設に設置された情報表示手段を介して、前記アミューズメント施設を利用する利用者に対して情報を提供する情報提供方法において、時刻情報取得手段が、現在時刻情報を取得するステップと、地域広告情報取得手段が、前記アミューズメント施設の近隣地域にある商店を広告主とした広告情報である地域広告情報を表示するための情報を取得するステップと、表示情報生成手段が、前記時刻情報取得手段が取得した現在時刻情報と、前記地域広告情報取得手段が取得した前記地域広告情報とを同時に前記情報表示手段で表示するための表示情報を生成するステップとを備えることを特徴とする情報提供方法が提供される。
【００２４】
これにより、時刻情報取得手段が、現在時刻情報を取得し、地域広告情報取得手段が、アミューズメント施設の近隣地域にある商店を広告主とした広告情報である地域広告情報を表示するための情報を取得し、表示情報生成手段が、時刻情報取得手段が取得した現在時刻情報と、地域広告情報取得手段が取得した地域広告情報とを同時に情報表示手段で表示するための表示情報を生成する。
【００２５】
また、本発明では、アミューズメント施設に設置された情報表示手段を介して、前記アミューズメント施設を利用する利用者に対して情報を提供する情報提供プログラムにおいて、コンピューターを、現在時刻情報を取得する時刻情報取得手段、前記アミューズメント施設の近隣地域にある商店を広告主とした広告情報である地域広告情報を表示するための情報を取得する地域広告情報取得手段、前記時刻情報取得手段が取得した現在時刻情報と、前記地域広告情報取得手段が取得した前記地域広告情報とを同時に前記情報表示手段で表示するための表示情報を生成する表示情報生成手段として機能させることを特徴とする情報提供プログラムが提供される。
【００２６】
これにより、時刻情報取得手段が、現在時刻情報を取得し、地域広告情報取得手段が、アミューズメント施設の近隣地域にある商店を広告主とした広告情報である地域広告情報を表示するための情報を取得し、表示情報生成手段が、時刻情報取得手段が取得した現在時刻情報と、地域広告情報取得手段が取得した地域広告情報とを同時に情報表示手段で表示するための表示情報を生成する。
【００２７】
また、本発明では、アミューズメント施設を利用する利用者に対して情報を提供する情報提供システムにおいて、現在時刻情報を取得する時刻情報取得手段と、前記アミューズメント施設の近隣地域にある商店を広告主とした広告情報である地域広告情報を表示するための情報を取得する地域広告情報取得手段と、前記時刻情報取得手段が取得した現在時刻情報と、前記地域広告情報取得手段が取得した前記地域広告情報とを同時に前記情報表示手段で表示するための表示情報を生成する表示情報生成手段とを備える情報提供装置と、前記表示情報生成手段が生成した表示情報を表示するための情報表示手段とを備えることを特徴とする情報提供システムが提供される。
【００２８】
これにより、時刻情報取得手段が、現在時刻情報を取得し、地域広告情報取得手段が、アミューズメント施設の近隣地域にある商店を広告主とした広告情報である地域広告情報を表示するための情報を取得し、表示情報生成手段が、時刻情報取得手段が取得した現在時刻情報と、地域広告情報取得手段が取得した地域広告情報とを同時に情報表示手段で表示するための表示情報を生成する。
【発明の効果】
【００２９】
本発明の情報提供装置、情報提供方法、情報提供システム、および情報提供プログラムによれば、時刻情報取得手段が、現在時刻情報を取得し、地域広告情報取得手段が、アミューズメント施設の近隣地域にある商店を広告主とした広告情報である地域広告情報を表示するための情報を取得し、表示情報生成手段が、時刻情報取得手段が取得した現在時刻情報と、地域広告情報取得手段が取得した地域広告情報とを同時に情報表示手段で表示するための表示情報を生成するので、アミューズメント施設と地域広告情報の広告主との繋がりを強化することができ、地域広告情報の広告主の人々とより強い信頼関係を築き協働関係を構築することができるようになるため、パチンコ店のマイナスのイメージを改善することができる。
【図面の簡単な説明】
【００３０】
【図１】第１の実施に係る情報提供システムの構成を示すブロック図である。
【図２】情報表示装置の詳細を示すブロック図である。
【図３】地域広告情報取得部の詳細を示すブロック図である。
【図４】店舗広告情報取得部の詳細を示すブロック図である。
【図５】報生成部の詳細を示すブロック図である。
【図６】情報記憶部の詳細を示すブロック図である。
【図７】画像情報記憶部の詳細を示すブロック図である。
【図８】文字情報記憶部が記憶する文字情報のデータ構造例を示す図である。
【図９】誘導情報記憶部が記憶する誘導情報のデータ構造例を示す図である。
【図１０】合成情報記憶部が記憶する合成情報のデータ構造例を示す図である。
【図１１】情報提供装置が、地域広告情報、および店舗広告情報を取得、また時刻情報を取得してから、表示情報を生成するまでの処理を示すフローチャートである。
【図１２】情報提供装置が、時刻表示情報を生成してからの処理を示すフローチャートである。
【図１３】情報表示装置に表示された地域広告情報の一例を示す図である。
【図１４】情報表示装置で表示される地域広告情報の流れの一例を示す図である。
【図１５】情報表示装置に表示された店舗広告情報の一例を示す図である。
【図１６】情報表示装置で表示される地域広告情報の流れの一例を示す図である。
【図１７】第２の実施の形態に係る情報提供システムの構成を示すブロック図である。
【図１８】第２の実施の形態に係る情報提供システムにおける情報表示装置の設置例を示す正面図である。
【図１９】全日本遊技事業協同組合連合会の平成２９年における組合加盟店舗の実態調査の結果を示す図である。
【発明を実施するための形態】
【００３１】
〔第１の実施の形態〕
以下、第１の実施の形態を、図面を参照して詳細に説明する。
図１は、第１の実施に係る情報提供システムの構成を示すブロック図である。
【００３２】
図１に示すように、情報提供システム１０００は、情報提供装置１００、および情報表示装置２００で構成されており、情報提供装置１００は、情報記憶部１１０、地域広告情報取得部１２０、店舗広告情報取得部１３０、時刻情報取得部１４０、および表示情報生成部１５０を備えている。
【００３３】
また情報提供装置１００は、例えばコンピューターやサーバーなどの情報処理装置に組み込まれるソフトウェア、または装置であって、図示しない入力手段によって情報処理装置に組み込まれた情報提供装置１００に所望の情報や信号を入力し、その情報や信号にも続いて情報提供装置１００は処理を行うことができる。
【００３４】
本実施の形態の情報提供システム１０００は、主にパチンコ店やゲームセンターなどのアミューズメント施設に設置されるシステムであって、情報提供装置１００が提供する情報を情報表示装置２００が表示し、表示内容をアミューズメント施設の来場者に提供することで、パチンコ店やゲームセンターなどのイメージを改善するためのものである。以下は、情報提供システム１０００をパチンコ店に設置した例として説明する。
【００３５】
情報記憶部１１０は、地域広告情報取得部１２０、および店舗広告情報取得部１３０に接続されており、地域広告情報取得部１２０が取得する地域広告情報や、店舗広告情報取得部１３０が取得する店舗広告情報に必要な情報を記憶するための記憶媒体である。
【００３６】
地域広告情報取得部１２０は、情報記憶部１１０、および表示情報生成部１５０に接続されており、情報記憶部１１０に記憶された情報から地域広告情報を取得するためのものである。
【００３７】
ここでいう地域広告情報とは、情報提供システム１０００が設置されたパチンコ店の近隣にある飲食店、製造販売店、サービス提供店などの商店で、情報提供システム１０００で広告宣伝を希望する商店（以下、地域広告主と称する）の広告情報のことである。
【００３８】
例えば、情報提供システム１０００が設置されたパチンコ店の商圏直径５キロメートル以内などのあらかじめ設定された範囲に存在する商店のうち、広告宣伝を希望する地域広告主の広告情報を地域広告情報取得部１２０が取得する。
【００３９】
店舗広告情報取得部１３０は、情報記憶部１１０、および表示情報生成部１５０に接続されており、情報記憶部１１０に記憶された情報から店舗広告情報を取得するためのものである。
ここでいう店舗広告情報とは、情報提供システム１０００が設置されたパチンコ店を宣伝するための広告情報のことである。
【００４０】
例えば、情報提供システム１０００が設置されたパチンコ店内の遊技機の設置状況を示すフロアマップや、店内で開催されるイベント情報や、特典情報などの店舗広告情報を店舗広告情報取得部１３０が取得する。
【００４１】
時刻情報取得部１４０は、表示情報生成部１５０に接続されており、情報提供装置１００が組み込まれたコンピューター内や情報提供装置１００内に含まれる図示しないタイマー、例えばＲＴＣ（Real Time Clock）等から現在の時刻に関する情報である時刻情報を取得するためのものである。
【００４２】
表示情報生成部１５０は、地域広告情報取得部１２０、店舗広告情報取得部１３０、時刻情報取得部１４０、および情報表示装置２００に接続されており、地域広告情報取得部１２０が取得する地域広告情報、店舗広告情報取得部１３０が取得する店舗広告情報、および時刻情報取得部１４０が取得する時刻情報から、情報表示装置２００に表示するための表示情報を生成するためのものである。
【００４３】
具体的な例としては、表示情報生成部１５０は、情報表示装置２００に時刻情報と地域広告情報または店舗広告情報を同時に表示できる情報を生成する。また地域広告情報や店舗広告情報が複数存在する場合においては、地域広告情報や店舗広告情報の各広告情報を順番にスライド表示するような表示情報を生成する。
【００４４】
情報表示装置２００は、情報提供装置１００によって出力される表示情報を表示するための装置であって、情報提供装置１００にディスプレイケーブルやＬＡＮ（Local Area Network）ケーブルなどの通信ケーブルを介して接続されている。
【００４５】
情報表示装置２００は例えばブラウン管、液晶ディスプレイ、プラズマディスプレイ、有機エレクトロルミネッセンスディスプレイなどが挙げられる。この他、情報表示装置２００は、画像や映像などを大型のスクリーンや壁などに投影することで表示させるプロジェクタなどであってもよい。
【００４６】
前述したように、パチンコ店では、パチンコに関する様々なマイナスのイメージの先入観から、パチンコ遊技者人口の低迷が問題となっている。
このパチンコ業界のマイナスのイメージを改善するためには、パチンコ業界における各店舗のイメージの改善が必要不可欠である。
【００４７】
ここでパチンコ業界における各店舗のイメージを改善させるには、パチンコ店各店舗が近隣の人々と身近な存在になることが非常に重要であり、各パチンコ店が、地域の人々が楽しく集う場所、楽しい時を共有する場所となることが重要である。
【００４８】
そこで本実施の形態の情報提供システム１０００では、情報提供システム１０００が設置されたパチンコ店の近隣にある地域広告主の地域広告情報を遊技者に提供することで、パチンコ店と地域広告主とが協働関係になり繋がることで地域貢献できる。
【００４９】
また、情報提供システム１０００が提供する地域広告情報を無償で地域広告主に提供することにより、地域広告主の負担がなくなるため、より多くの商店が地域広告主となり情報提供システム１０００で地域広告情報を提供できるようになる。
【００５０】
このように地域広告主の地域広告情報をパチンコ店に設置された情報提供システム１０００が遊技者に提供することで、地域広告主の人々もパチンコ店で提供された地域広告情報を確認することで、パチンコ店と地域広告主との繋がりを強化することができ、地域の人々とより強い信頼関係を築き協働関係を構築することができる。
【００５１】
さらに従来のパチンコ店では設置されることが少なかった時計による時刻情報を、情報提供システム１０００では時刻情報取得部１４０が取得した時刻情報と、地域広告情報取得部１２０が取得した地域広告情報とを表示情報生成部１５０が情報表示装置２００を介して表示させるので、時間を気にする遊技者に対して効率的に地域広告情報を提供することができる。
【００５２】
また、時刻情報を表示することで、正確な時刻情報を遊技者に対して提供できるので、例えば待ち時間で遊技した場合でも、遊技者が正確な時刻を把握できる。これにより、待ち合わせ時間に遅刻してしまうことを防止したり、例えば待ち合わせ時間付近に「大当たり」が抽選されたりしても、待ち合わせ時間前に連絡を入れることができる。
【００５３】
これにより、待ち人にかかる負担を低減させることができるので、パチンコに対するマイナスのイメージを払拭することができる。また遊技者が正確な時刻を把握することで、長時間遊技してしまうことを防止し、パチンコ依存症の抑制にも繋げることができるので、これもまたマイナスのイメージの改善に繋げることができる。
【００５４】
図２は、情報表示装置の詳細を示すブロック図である。
図２に示すように、情報表示装置２００は、情報提供装置１００が組み込まれたコンピューター３００と通信ケーブル４００を介して接続されている。
【００５５】
情報表示装置２００は、例えば５５インチ（画面横幅約１２０センチメートル×画面縦幅約７０センチメートル）の大型液晶ディスプレイであって、パチンコ店内の通路や出入り口、カウンター前などに設置される。また情報表示装置２００が耐水加工されている場合においては、パチンコ店の周囲、駐車場、外壁などに設置するようにしてもよい。
【００５６】
情報表示装置２００には、情報提供装置１００が備える表示情報生成部１５０が生成した表示情報が映し出され、情報表示装置２００の表示画面には現在の時刻情報が表示される時刻表示部２１０、および情報提供装置１００が備える地域広告情報取得部１２０が取得した地域広告情報または店舗広告情報取得部１３０が取得した店舗広告情報が表示される広告情報表示部２２０を備えた映像が表示される。
【００５７】
時刻表示部２１０と広告情報表示部２２０とは表示領域が区別されているわけではなく、表示情報生成部１５０により任意の位置に時刻情報と広告情報とを表示することができ、地域広告情報または店舗広告情報の上層に重ねて現在の時刻情報を表示することもできる。
【００５８】
なお、図２では、大型液晶ディスプレイを例にして情報表示装置２００を説明したが、この他、情報表示装置２００はブラウン管、プラズマディスプレイ、有機エレクトロルミネッセンスディスプレイ、あるいはプロジェクタなどによって情報提供装置１００により提供された情報を壁などに表示するようにしてもよい。
【００５９】
また、情報表示装置２００に表示される情報を強調するために、情報表示装置２００の周囲に装飾リボン、装飾フラッグ、装飾フラワーなどで装飾したり、スチレンボードパネルなどで形成されたキャラクターなどで装飾したりしてもよい。
【００６０】
図３は、地域広告情報取得部の詳細を示すブロック図である。
図３に示すように、地域広告情報取得部１２０は、画像情報取得部１２１、文字情報取得部１２２、誘導情報取得部１２３、および地域広告情報合成部１２４を備えており、あらかじめ情報記憶部１１０に記憶された地域広告情報を取得するだけでなく、情報記憶部１１０に記憶された地域広告情報を構成する様々な情報から地域広告情報を取得し、地域広告情報を生成することもできる。
【００６１】
画像情報取得部１２１は、情報記憶部１１０、および地域広告情報合成部１２４に接続されており、情報記憶部１１０に記憶された地域広告に関する画像情報、例えば地域広告主の店内の写真や店主の写真などの画像情報を取得するためのものである。取得された画像情報は接続された地域広告情報合成部１２４に通知される。
【００６２】
また情報記憶部１１０は、画像情報を記憶するだけでなく、動画情報も記憶することができ、画像情報取得部１２１は、情報記憶部１１０に記憶された動画情報を取得するようにしてもよい。
【００６３】
文字情報取得部１２２は、情報記憶部１１０、および地域広告情報合成部１２４に接続されており、情報記憶部１１０に記憶された地域広告に関する文字情報、例えば地域広告主の商店を紹介するメッセージや、キャッチフレーズなどの文字情報を取得するためのものである。取得された文字情報は接続された地域広告情報合成部１２４に通知される。
【００６４】
誘導情報取得部１２３は、情報記憶部１１０、および地域広告情報合成部１２４に接続されており、遊技者が有する携帯電話やスマートフォンなどの携帯端末機器で地域広告情報を表示するために遊技者の携帯端末機器を誘導する誘導情報を取得するためのものである。取得された誘導情報は接続された地域広告情報合成部１２４に通知される。
【００６５】
誘導情報の具体的な例としては、地域広告情報の広告主である地域広告主のウェブサイトなどに誘導するための誘導情報、例えば地域広告主が営む商店のホームページサイトなどのアドレスを示すＵＲＬ（Uniform Resource Locator）や、そのＵＲＬを画像化した二次元バーコードが挙げられる。
【００６６】
他にも、地域広告主の商店で使用可能な割引情報を提供するサーバーなどへ誘導し、割引クーポンなどの誘導情報を遊技者が有する携帯電話やスマートフォンなどの携帯端末機器にダウンロードさせるようにしてもよい。
【００６７】
地域広告情報合成部１２４は、画像情報取得部１２１、文字情報取得部１２２、誘導情報取得部１２３、情報記憶部１１０、および表示情報生成部１５０に接続されており、画像情報取得部１２１、文字情報取得部１２２、および誘導情報取得部１２３から通知された画像情報、文字情報、および誘導情報を合成して地域広告情報を生成するためのものである。
【００６８】
地域広告情報合成部１２４は、情報記憶部１１０に記憶された合成情報に基づいて、画像情報、文字情報、および誘導情報を合成し、地域広告情報を生成する。生成された地域広告情報は、接続された表示情報生成部１５０に通知される。
【００６９】
図４は、店舗広告情報取得部の詳細を示すブロック図である。
図４に示すように、店舗広告情報取得部１３０は、画像情報取得部１３１、文字情報取得部１３２、および店舗広告情報合成部１３３を備えており、あらかじめ情報記憶部１１０に記憶された店舗広告情報を取得するだけでなく、情報記憶部１１０に記憶された店舗広告情報を構成する様々な情報を取得し、店舗広告情報を生成することもできる。
【００７０】
画像情報取得部１３１は、情報記憶部１１０、および店舗広告情報合成部１３３に接続されており、情報記憶部１１０に記憶された店舗広告に関する画像情報、例えばパチンコ店内の遊技機の設置状況を示すフロアマップや、新台の画像、スタッフの顔写真などの画像情報を取得するためのものである。取得された画像情報は接続された店舗広告情報合成部１３３に通知される。
【００７１】
また情報記憶部１１０は、画像情報を記憶するだけでなく、動画情報も記憶することができ、画像情報取得部１３１は、情報記憶部１１０に記憶された動画情報を取得するようにしてもよい。
【００７２】
文字情報取得部１３２は、情報記憶部１１０、および店舗広告情報合成部１３３に接続されており、情報記憶部１１０に記憶された店舗広告に関する文字情報、例えば店内で開催されるイベント情報や、特典情報に関する文字情報を取得するためのものである。取得された文字情報は接続された店舗広告情報合成部１３３に通知される。
【００７３】
店舗広告情報合成部１３３は、画像情報取得部１３１、文字情報取得部１３２、情報記憶部１１０、および表示情報生成部１５０に接続されており、画像情報取得部１３１、および文字情報取得部１３２ら通知された画像情報、および文字情報を合成して店舗広告情報を生成するためのものである。
【００７４】
店舗広告情報合成部１３３は、情報記憶部１１０に記憶された合成情報に基づいて、画像情報、および文字情報を合成し、店舗広告情報を生成する。生成された店舗広告情報は、接続された表示情報生成部１５０に通知される。
【００７５】
なお、ここでは店舗広告情報取得部１３０が、画像情報取得部１３１、文字情報取得部１３２、および店舗広告情報合成部１３３を備える構成で説明したが、地域広告情報取得部１２０と同様に、情報記憶部１１０に記憶された店舗広告に関する誘導情報、例えば店舗が有するホームページなどのウェブサイトのアドレスを示すＵＲＬや、そのＵＲＬを画像化した二次元バーコードなどを、店舗広告情報取得部１３０に備えられた誘導情報取得部１２３が取得し、画像情報、および文字情報に加えて誘導情報を付加した店舗広告情報を店舗広告情報合成部１３３が合成するようにしてもよい。
【００７６】
図５は、表示情報生成部の詳細を示すブロック図である。
図５に示すように、表示情報生成部１５０は、時刻表示情報生成部１５１、表示情報合成部１５２、表示切替タイマー部１５３、および表示情報出力部１５４を備えている。
【００７７】
時刻表示情報生成部１５１は、時刻情報取得部１４０、および表示情報合成部１５２に接続されており、時刻情報取得部１４０が取得した時刻情報に基づいて表示する時刻情報である時刻表示情報を生成するためのものである。この時刻表示情報生成部１５１によって現在の時刻情報がリアルタイムで接続された表示情報合成部１５２に通知される。
【００７８】
また時刻表示情報生成部１５１は、図示しない入力手段によって、時刻表示情報の表示の有無を切替えるようにしてもよい。例えば、時刻表示情報生成部１５１は、図示しない入力手段によって入力された信号が「時刻表示」の時のみ動作し、図示しない入力手段によって入力された信号が「時刻非表示」のときは動作しないようにすることもできる。
【００７９】
これにより、パチンコ店で、どうしても時刻表示をさせたくない店舗にも対応させることができる。または図示しない入力手段によって入力された信号が「時刻非表示」のときのみ、時刻表示情報生成部１５１が生成する時刻表示情報を完全に透過させた状態で表示するようにしてもよい。これにより、外部から時刻表示を不可視状態にすることができる。
【００８０】
表示情報合成部１５２は、地域広告情報取得部１２０、店舗広告情報取得部１３０、時刻表示情報生成部１５１、および表示情報出力部１５４に接続されており、地域広告情報取得部１２０によって取得された地域広告情報、店舗広告情報取得部１３０によって取得された店舗広告情報、および時刻表示情報生成部１５１によって生成された時刻表示情報のうち少なくとも店舗広告情報を含む２つを合成して同時に情報表示装置２００に表示させるための表示情報を生成するためのものである。
【００８１】
表示切替タイマー部１５３は、表示情報合成部１５２に接続されており、表示情報合成部１５２が合成して生成する表示情報に含まれる地域広告情報や店舗広告情報を切替えるためのタイマーである。
【００８２】
例えば、表示切替タイマー部１５３には１分や、３０秒などの、あらかじめ決められた所定の表示時間が設定されており、その設定時間が経過する毎に表示される地域広告情報や店舗広告情報を切替える。
【００８３】
さらに具体的には、あらかじめ表示時間が３０秒で設定されていた場合、まず地域広告主であるＡ店の地域広告情報が情報表示装置２００に３０秒間表示され、その後、次の地域広告主であるＢ店の地域広告情報が情報表示装置２００に３０秒間され、と３０秒毎に異なる地域広告主の地域広告情報が表示される。
【００８４】
また１つの地域広告主に関する地域広告情報が複数ある場合には、表示時間を１０秒などの短い間隔で設定しておき、１つの地域広告主に関するすべての地域広告情報が表示されたら、次の地域広告主に関する地域広告情報を順番に表示することもできる。
【００８５】
表示情報出力部１５４は、表示情報合成部１５２、および情報表示装置２００に接続されており、表示情報合成部１５２が合成して生成した表示情報を、接続された情報表示装置２００に出力するためのものである。
【００８６】
図６は、情報記憶部の詳細を示すブロック図である。
図６に示すように、情報記憶部１１０は、画像情報記憶部１１１、文字情報記憶部１１２、誘導情報記憶部１１３、および合成情報記憶部１１４を備えている。
【００８７】
画像情報記憶部１１１は、あらかじめ図示しない入力手段で入力された地域広告に関する画像情報、または店舗広告に関する画像情報などの画像情報を記憶するためのものである。
【００８８】
文字情報記憶部１１２は、あらかじめ図示しない入力手段で入力された地域広告に関する文字情報、または店舗広告に関する文字情報などの文字情報を記憶するためのものである。
【００８９】
誘導情報記憶部１１３は、あらかじめ図示しない入力手段で入力された地域広告に関する誘導情報を記憶するためのものである。この他、店舗広告に関する誘導情報を記憶することもできる。
【００９０】
合成情報記憶部１１４は、あらかじめ図示しない入力手段で入力された地域広告に関する画像情報、文字情報、および誘導情報、または店舗広告に関する画像情報、および文字情報を合成するための情報を記憶するためのものである。
【００９１】
図７は、画像情報記憶部の詳細を示すブロック図である。
図７に示すように、画像情報記憶部１１１には、複数の画像情報が記憶されている。
具体的には、地域広告情報を生成するための店内の写真や店主の写真などの画像情報や、店舗広告情報を生成するためのパチンコ店内の遊技機の設置状況を示すフロアマップや、新台の画像、スタッフの顔写真などの画像情報に対して、その画像情報を識別するための識別情報である画像情報固有の文字列が、ｐｉｃ０００１、ｐｉｃ０００２のように設定されて記憶されている。
画像情報記憶部１１１に記憶された画像情報は、ｐｉｃ００１、ｐｉｃ００２のような識別情報をキーとして画像情報記憶部１１１から呼び出されて適宜利用される。
【００９２】
図８は、文字情報記憶部が記憶する文字情報のデータ構造例を示す図である。
図８に示すように、地域広告情報や店舗広告情報を生成するための文字情報には、文字情報ＩＤ（identification）、および文字情報の各欄が設けられている。
【００９３】
「文字情報ＩＤ」の欄には、文字情報を識別するための識別情報である文字情報固有の文字列が設定されている。
「文字情報」の欄には、地域広告情報や店舗広告情報を生成するための具体的な文字情報が設定されている。
【００９４】
図９は、誘導情報記憶部が記憶する誘導情報のデータ構造例を示す図である。
図９に示すように、誘導情報には、誘導情報ＩＤ、誘導情報区分、および誘導情報の各欄が設けられている。
【００９５】
「文字情報ＩＤ」の欄には、誘導情報を識別するための識別情報である誘導情報固有の文字列が設定されている。
「誘導情報区分」の欄には、地域広告情報に付加される誘導情報を区分けするための区分の文字情報が設定されている。
「誘導情報」の欄には、地域広告情報に付加される具体的な誘導情報が設定されている。
【００９６】
図１０は、合成情報記憶部が記憶する合成情報のデータ構造例を示す図である。
図１０に示すように、合成情報には、合成情報ＩＤ、対象、位置、およびサイズの各欄が設けられている。
【００９７】
「合成情報ＩＤ」の欄には、合成情報を識別するための識別情報である合成情報固有の文字列が設定されている。
「対象」の欄には、地域広告情報や店舗広告情報を生成するための画像情報、文字情報、または誘導情報などを識別するための画像情報ＩＤ、文字情報ＩＤ、誘導情報ＩＤなどの固有の文字列が設定されている。
【００９８】
「位置」の欄には、地域広告情報や店舗広告情報に合成される画像情報、文字情報、または誘導情報などの設置位置を示す位置情報が設定されている。
「サイズ」の欄には、地域広告情報や店舗広告情報に合成される画像情報、文字情報、または誘導情報などの大きさを示すサイズ情報が設定されている。
【００９９】
図１１は、情報提供装置が、地域広告情報、および店舗広告情報を取得、また時刻情報を取得してから、表示情報を生成するまでの処理を示すフローチャートである。以下、図１１に示す処理をステップ番号に沿って説明する。
【０１００】
〔ステップＳ１１〕
情報提供装置１００は、地域広告情報を取得する。具体的には、情報表示装置２００で表示するための地域広告情報を取得するために、画像情報取得部１２１が画像情報を取得し、文字情報取得部１２２が文字情報を取得し、誘導情報取得部１２３が誘導情報を取得し、取得した画像情報、文字情報、および誘導情報を合成した地域広告情報を地域広告情報合成部１２４が取得する。
【０１０１】
〔ステップＳ１２〕
情報提供装置１００は、店舗広告情報を取得する。具体的には、情報表示装置２００で表示するための店舗広告情報を取得するために、画像情報取得部１３１が画像情報を取得し、文字情報取得部１３２が文字情報を取得し、取得した画像情報、および文字情報を合成した店舗広告情報を店舗広告情報合成部１３３が取得する。
【０１０２】
〔ステップＳ１３〕
情報提供装置１００は、時刻情報を取得する。具体的には、情報提供装置１００、または情報提供装置１００が組み込まれたコンピューター３００が備えるＲＴＣ等から現在の時刻に関する情報である時刻情報を取得する。
【０１０３】
〔ステップＳ１４〕
情報提供装置１００は、表示情報を生成する。具体的には、ステップＳ１３で取得した時刻情報から時刻表示情報を時刻表示情報生成部１５１が生成し、ステップＳ１１およびステップＳ１２で取得された地域広告情報、店舗広告情報のうち少なくとも店舗広告情報と時刻表示情報とを表示情報合成部１５２が合成し、表示情報合成部１５２が合成した表示情報を表示情報出力部１５４が情報表示装置２００に出力する。
【０１０４】
図１２は、情報提供装置が、時刻表示情報を生成してからの処理を示すフローチャートである。以下、図１２に示す処理をステップ番号に沿って説明する。
〔ステップＳ２１〕
情報提供装置１００は、時刻表示の有無を確認する。具体的には、時刻表示情報生成部１５１が、入力された信号が「時刻表示」であるか、あるいは「時刻非表示」であるかを判断する。
【０１０５】
時刻表示情報生成部１５１が入力された信号が「時刻表示」であると判断したときは、処理をステップＳ２２に進め、時刻表示情報生成部１５１が入力された信号が「時刻非表示」であると判断したときは、処理をステップＳ２３に進める。
【０１０６】
〔ステップＳ２２〕
情報提供装置１００は、時刻表示情報を生成する。具体的には、時刻表示情報生成部１５１が、時刻情報取得部１４０が取得した時刻情報から情報表示装置２００に表示するための時刻表示情報を生成する。
【０１０７】
〔ステップＳ２３〕
情報提供装置１００は、広告情報を取得する。具体的には、表示情報生成部１５０は、地域広告情報取得部１２０が取得する地域広告情報、および店舗広告情報取得部１３０が取得する店舗広告情報のうち、少なくとも地域広告情報を含む広告情報を取得する。
【０１０８】
〔ステップＳ２４〕
情報提供装置１００は、表示情報を合成する。具体的には、表示情報合成部１５２がステップＳ２２で生成された時刻表示情報と、ステップＳ２３で取得された地域広告情報または店舗広告情報のうち、少なくとも地域広告情報を含む広告情報とを合成させて表示情報を生成する。
【０１０９】
〔ステップＳ２５〕
情報提供装置１００は、タイマーを開始する。具体的には、表示切替タイマー部１５３が、ステップＳ２４と同時に表示情報合成部１５２が合成して生成する表示情報に含まれる地域広告情報や店舗広告情報を切替えるためのタイマーを開始する。
【０１１０】
〔ステップＳ２６〕
情報提供装置１００は、タイマー開始から所定時間経過したかを判断する。具体的には、表示切替タイマー部１５３が、ステップＳ２５で開始されたタイマーから所定の時間が経過したか否かを判断する。
【０１１１】
表示切替タイマー部１５３が、所定の時間が経過したと判断したときは、処理をステップＳ２８に進め、表示切替タイマー部１５３が、所定の時間が経過していないと判断したときは、ステップＳ２７の処理を繰り返す。
【０１１２】
〔ステップＳ２８〕
情報提供装置１００は、表示広告を終了させる。具体的には、表示情報出力部１５４が情報表示装置２００に対して出力していた表示情報の出力を停止させる。
【０１１３】
図１３は、情報表示装置に表示された地域広告情報の一例を示す図である。
図１３に示すように、地域広告情報取得部１２０が取得した地域広告情報は情報表示装置２００によって表示され、時刻表示部２１０および広告情報表示部２２０を備えている。
【０１１４】
時刻表示部２１０では、時刻情報取得部１４０が取得した現在の時刻情報が刻々と表示されている。これにより遊技者は腕時計や携帯電話で確認することなく現在の時刻を正確に知ることができる。
【０１１５】
広告情報表示部２２０では、画像情報記憶部１１１に記憶された画像情報からｐｉｃ０００１が画像情報取得部１２１によって取得され、文字情報記憶部１１２に記憶された文字情報からｔｘｔ０１０１〜ｔｘｔ０１０５が文字情報取得部１２２によって取得され、誘導情報記憶部１１３に記憶された誘導情報からＡＤ００１およびＡＤ００３が誘導情報取得部１２３によって取得され、合成情報記憶部１１４に記憶されたＣＮ０３０１〜ＣＮ０３０６の情報によって、地域広告情報合成部１２４が取得した画像情報、文字情報、および誘導情報を合成し、合成された表示情報が表示情報生成部１５０によって情報表示装置２００に送信され、情報表示装置２００が広告情報を表示している。
【０１１６】
このように、画像情報や文字情報で地域広告主の広告情報をパチンコ店内に設置された情報表示装置２００に表示することで、時間を確認しに来る遊技者に対して、効率的に地域広告主の広告情報提供することができる。
【０１１７】
これにより、遊技者に対して地域広告主の商店の利用を促すことができる。また割引情報などのクーポンを二次元バーコードなどを利用して遊技者に取得させることで、さらに遊技者に対して地域広告主の商店の利用を促すことができる。
【０１１８】
このように、画像情報や文字情報で地域広告主の広告情報をパチンコ店内に設置された情報表示装置２００に表示することで、パチンコ店と地域広告主との繋がりを強化することができ、地域の人々とより強い信頼関係を築き協働関係を構築することができ、パチンコ店のイメージを改善することができる。
【０１１９】
図１４は、情報表示装置で表示される地域広告情報の流れの一例を示す図である。
図１４に示すように、地域広告主であるＡ店の地域広告情報は、店舗外観、店舗内観、おすすめフード１、おすすめフード２、おすすめフード３、および店主顔写真で構成されている。
【０１２０】
地域広告主であるＡ店の各地域広告情報は、あらかじめ表示切替タイマー部１５３に設定された所定の間隔である１５秒ずつ情報表示装置２００に表示される。この地域広告主であるＡ店のすべての地域広告情報が表示された９０秒後には次の地域広告主であるＢ店の各地域広告情報が１５秒毎に表示される。
【０１２１】
図１５は、情報表示装置に表示された店舗広告情報の一例を示す図である。
図１５に示すように、店舗広告情報取得部１３０が取得した店舗広告情報は情報表示装置２００によって表示され、時刻表示部２１０および広告情報表示部２２０を備えている。
【０１２２】
時刻表示部２１０では、時刻情報取得部１４０が取得した現在の時刻情報が刻々と表示されている。これにより遊技者は腕時計や携帯電話で確認することなく現在の時刻を正確に知ることができる。
【０１２３】
広告情報表示部２２０では、画像情報記憶部１１１に記憶された画像情報からｐｉｃ０２０１およびｐｉｃ０２０２が画像情報取得部１３１によって取得され、文字情報記憶部１１２に記憶された文字情報からｔｘｔ０３０１〜ｔｘｔ０３０３が文字情報取得部１３２によって取得され、合成情報記憶部１１４に記憶されたＣＮ０６０１〜ＣＮ０６０６の情報によって、店舗広告情報合成部１３３が取得した画像情報、文字情報、および誘導情報を合成し、合成された表示情報が表示情報生成部１５０によって情報表示装置２００に送信され、情報表示装置２００が広告情報を表示している。
【０１２４】
このように、画像情報や文字情報で店舗広告情報をパチンコ店内に設置された情報表示装置２００に表示することで、時間を確認しに来る遊技者に対して、効率的に店舗の広告情報提供することができる。
【０１２５】
図１６は、情報表示装置で表示される地域広告情報の流れの一例を示す図である。
図１６に示すように、地域広告主であるＡ店〜Ｄ点の地域広告情報は、複数の地域広告情報で構成されており、パチンコ店の店舗広告情報も複数の店舗広告情報で構成されている。
【０１２６】
地域広告主であるＡ店の各地域広告情報は、あらかじめ表示切替タイマー部１５３に設定された所定の間隔で複数の地域広告情報が情報表示装置２００に表示され、Ａ店すべての地域広告情報が表示されると、次の地域広告主であるＢ店の各地域広告情報が表示される。
【０１２７】
次にＢ店すべての地域広告情報が表示されると、次の地域広告主であるＣ店の各地域広告情報が表示されるが、Ｂ店とＣ店との間に図１６のようにパチンコ店の店舗広告情報を表示するようにしてもよい。
【０１２８】
これにより、地域広告主による地域広告情報だけでなく、自社のパチンコ店のイベント情報などの店舗広告情報を織り交ぜて広告することができ、地域と店舗との協働関係を遊技者にアピールすることができる。
〔第２の実施の形態〕
【０１２９】
次に、本発明の第２の実施の形態について説明する。本実施の形態の情報提供システムは、表示装置の形状や設置状態が異なる以外は、第１の実施の形態で示した構成とほぼ同様である。このため、上記第１の実施の形態とほぼ同様の構成部分については同一の符号を付すなどして適宜その説明を省略する。
【０１３０】
図１７は、第２の実施の形態に係る情報提供システムの構成を示すブロック図である。
図１７に示すように、情報提供システム２０００は、情報提供装置１００、および複数の情報表示装置２００で構成されている。
【０１３１】
また、情報提供装置１００はコンピューター３００に組み込まれており、コンピューター３００は通信ケーブル４００を介して例えばインターネットやローカルエリアネットワークなどのネットワーク網５００に接続されている。
【０１３２】
情報表示装置２００は、例えば７インチ（画面横幅約１６センチメートル×画面縦幅約９センチメートル）の小型液晶ディスプレイであって、パチンコ店内に設置された各パチンコ遊技機６００の付近に設置される。
【０１３３】
また情報表示装置２００は通信ケーブル４００を介して例えばインターネットやローカルエリアネットワークなどのネットワーク網５００に接続され、情報提供装置１００が組み込まれたサーバーなどのコンピューター３００から出力された時刻情報および、地域広告情報または店舗広告情報のうち、いずれか一方を含む広告情報を表示することができる。
【０１３４】
これにより、遊技者は遊技機で遊びながら遊技機の付近に設置された情報表示装置２００により、地域広告主による地域広告情報や店舗広告情報により情報を得ることができ、その広告により、パチンコ店と地域広告主との繋がりを強化することができ、地域の人々とより強い信頼関係を築き協働関係を構築することができる。
【０１３５】
さらに従来のパチンコ店では設置されることが少なかった時計による時刻情報を、情報提供システム１０００では時刻情報取得部１４０が取得した時刻情報と、地域広告情報取得部１２０が取得した地域広告情報とを表示情報生成部１５０が情報表示装置２００を介して表示させるので、時間を気にする遊技者に対して効率的に地域広告情報を提供することができる。
【０１３６】
また情報表示装置２００を介して表示される時刻情報は、通信ケーブル４００を介して接続された複数の情報表示装置２００で情報提供装置１００が取得した時刻情報を表示することができるので、統一した時刻情報を遊技者に表示することができる。
【０１３７】
これにより、複数の時計を店内に設置した場合に生じる可能性のあった各時計の時間ズレを解消することができ、統一された時刻表示環境の中で遊技者は遊技機を遊技することができる。
【０１３８】
図１８は、第２の実施の形態に係る情報提供システムにおける情報表示装置の設置例を示す正面図である。
図１８に示すように、情報表示装置２００は、通信ケーブル４００を介して情報提供装置１００が組み込まれたサーバーなどのコンピューター３００に接続されており、パチンコ店内に設置された各パチンコ遊技機６００の付近に設置される。
【０１３９】
例えば、情報表示装置２００は遊技者が遊技する各パチンコ遊技機６００の正面側かつパチンコ遊技機６００の上部に情報表示装置２００の表示画面が遊技者側に向くように固定される。
【０１４０】
情報表示装置２００の設置コストを低減させるためには、パチンコ遊技機６００とパチンコ遊技機６００との間に情報表示装置２００を設置し、隣り合う遊技者が共通してパチンコ遊技機６００とパチンコ遊技機６００との間に設置された情報表示装置２００を見られるようにしてもよい。
【０１４１】
情報表示装置２００は、通信ケーブル４００を介してサーバーなどのコンピューター３００にされるだけでなく、無線通信で接続するようにしてもよい。また情報表示装置２００のサイズ、設置場所などは任意のサイズで任意の場所に設置することができる。
【０１４２】
また、図１８では、情報表示装置２００をパチンコ遊技機６００の付近に設置したが、情報表示装置２００をパチンコ遊技機、回胴式遊技機、アレンジボール遊技機、雀球遊技機などの他の遊技機器に設置するようにしてもよい。
【０１４３】
なお、第１の実施の形態、および第２の実施の形態では、情報提供システム１０００または情報提供システム２０００をパチンコ店に設置した例として説明したが、情報提供システム１０００や情報提供システム２０００はパチンコ店の他、ゲームセンターなどのアミューズメント施設に設置してもよく、ゲームセンターなど生じている「うるさい」、「たばこ臭い」、「近寄りづらい」などのマイナスのイメージを、アミューズメント施設と地域広告主との繋がりを強化させ、地域の人々とより強い信頼関係を築き協働関係を構築することで、マイナスのイメージを改善させることができる。
【０１４４】
また、第２の実施の形態では、情報提供装置１００が備える時刻情報取得部１４０が取得した時刻情報と、地域広告情報取得部１２０が取得した地域広告情報または店舗広告情報取得部１３０が取得した店舗広告情報とを表示情報生成部１５０が情報表示装置２００を介して同時に表示させたが、例えば、あらかじめ情報記憶部１１０に地域広告主やパチンコ店が所有するウェブサイトのサーバー情報（アカウントやパスワード情報など）を記憶させておき、地域広告情報または店舗広告情報をネットワーク５００を介して、地域広告主やパチンコ店が所有するウェブサイトに情報提供装置１００がアップロードし、この地域広告情報または店舗広告情報をウェブサイト上で表示するようにしてもよい。
【符号の説明】
【０１４５】
１００  情報提供装置
１１０  情報記憶部
１２０  地域広告情報取得部
１３０  店舗広告情報取得部
１４０  時刻情報取得部
１５０  表示情報生成部
２００  情報表示装置
１０００  情報提供システム
【図１】
2020137701.tif 000003
【図２】
2020137701.tif 000004
【図３】
2020137701.tif 000005
【図４】
2020137701.tif 000006
【図５】
2020137701.tif 000007
【図６】
2020137701.tif 000008
【図７】
2020137701.tif 000009
【図８】
2020137701.tif 000010
【図９】
2020137701.tif 000011
【図１０】
2020137701.tif 000012
【図１１】
2020137701.tif 000013
【図１２】
2020137701.tif 000014
【図１３】
2020137701.tif 000015
【図１４】
2020137701.tif 000016
【図１５】
2020137701.tif 000017
【図１６】
2020137701.tif 000018
【図１７】
2020137701.tif 000019
【図１８】
2020137701.tif 000020
【図１９】
2020137701.tif 000021